(57)【要約】      （修正有）【課題】洗車機の使用者が昇降操作して所望の洗車モードに設定するリモートパネルを用いて昇降操作する際、使用者にとって使いやすく利便性の高い洗車機を提供する。【解決手段】被洗浄車両の使用者が昇降操作して所望の洗車モードに設定するリモートパネル７Ａを備え、設定された洗車モードに応じて、被洗浄車両と洗車機本体を前後方向に相対移動させながら、前記被洗浄車両の洗車を行う洗車機であって、前記リモートパネル７Ａは昇降釦８５を備えるとともに該昇降釦８５の押下により下降端と上昇端との間を昇降自在な構成とし、前記リモートパネル７Ａの受付状況に応じて、前記昇降釦８５による昇降動作として前記昇降釦を押下すると下降端と上昇端との間を昇降する単純昇降と、前記昇降釦を押下している間のみ下降端と上昇端との間を昇降するインチング昇降と、を切り換える構成の洗車機とした。【選択図】図１
2010215045.tif 000002
【特許請求の範囲】
【請求項１】
被洗浄車両の使用者が操作して所望の洗車モードに設定するリモートパネルを備え、設定された洗車モードに応じて、被洗浄車両と洗車機本体を前後方向に相対移動させながら、前記被洗浄車両の洗車を行う洗車機であって、
前記リモートパネルは昇降釦を備えるとともに該昇降釦の押下により下降端と上昇端との間を昇降自在な構成とし、
前記リモートパネルの受付状況に応じて、前記昇降釦による昇降動作として前記昇降釦を押下すると下降端と上昇端との間を昇降する単純昇降と、前記昇降釦を押下している間のみ下降端と上昇端との間を昇降するインチング昇降と、を切り換えることを特徴とする洗車機。
【請求項２】
前記リモートパネルの昇降動作が使用者による該リモートパネルの受付開始前では単純昇降とし、前記リモートパネルの受付が開始から終了までの期間はインチング昇降とすることを特徴とする請求項１に記載の洗車機。
【請求項３】
前記リモートパネルは報知部を備え、単純昇降からインチング昇降又はインチング昇降から昇降動作へ変化する場合には昇降動作の変化状況を報知することを特徴とする請求項１又は２に記載の洗車機。
【請求項４】
前記リモートパネルはタッチパネル式の表示部を備え、該表示部内に前記昇降釦と昇降動作の状況を表示することを特徴とする請求項１〜３のいずれかに記載の洗車機。
【発明の詳細な説明】
【技術分野】
【０００１】
本発明は、たとえば給油所に設置され洗車に使用される洗車機に関し、特に、洗車モードを設定するリモートパネルを備える洗車機に関する。
【背景技術】
【０００２】
従来、給油所などに設置されている洗車機は、被洗浄車両と洗車機本体を前後方向に相対移動させながら、被洗浄車両に貯液タンクに貯留された液剤や洗浄水を噴霧して洗車を行う構成とされている。また、液剤や洗浄水を噴霧しながらブラッシングして洗浄することや、洗浄後に風を吹き付けて乾燥することが行われている。
【０００３】
洗車の際に用いる液剤としては、各種のシャンプーやワックスやコート類が用いられており、被洗浄車両のタイプや表面塗層に適した各種液剤が提案されている。これらの各種液剤は、それぞれ専用の貯液タンクに貯留されており、タンク内に挿入されたチューブを介して、洗車工程の処理に応じて噴霧され消費されていく。また、複数の洗車モードから所望のモードを選択し、使用する液剤の種類を選択して所定の洗車モードに設定する操作手段として操作パネルやリモートパネルを備えている。操作パネルは洗車機本体に配設しているが、リモートパネルは洗車機本体から離れた位置に設置して、このリモートパネルと操作パネルとを電気的に接続して、リモートパネルに設定された洗車モードにより、洗車機を駆動可能にしている。
【０００４】
操作パネルやリモートパネルを備える洗車機の一例について図６を用いて説明する。この洗車機ＷＡは、複数のブラシを備える洗浄部材と、ブロワと複数の送風ノズルを備える乾燥部材とを装着し、被洗浄車両ＣＡを跨ぐように門型とされる洗車機本体１を備えた構成であり、被洗浄車両ＣＡと洗車機本体１を前後方向に相対移動させながら、複数の貯液タンクに貯留された液剤をそれぞれ水により希釈して前記被洗浄車両へ噴霧して、前記被洗浄車両ＣＡの洗車を行う。
【０００５】
例えば、洗車機本体１が、車輪３を介してレール２上に沿って走行移動する構成とし、被洗浄車両ＣＡを、該被洗浄車両ＣＡを跨ぐ門型とされる洗車機の左右一対のレール間の所定の位置に停車して、洗車機本体１に設置する操作パネル７もしくは洗車機本体１から離れた位置に設置するリモートパネル７Ａに、所望の洗車モードを設定し、スタート釦を操作して、洗車操作を開始する。
【０００６】
門型の洗車機本体１は、被洗浄車両ＣＡを洗浄するブラシとして、例えば、被洗浄車両ＣＡの上面を洗浄するトップブラシ４と、被洗浄車両ＣＡの両側面と前後面を洗浄する左右一対のサイドブラシ５と、被洗浄車両ＣＡの両側面下部を洗浄する左右一対のロッカーブラシ６を備えている。
【０００７】
また、ブラッシングの際に使用する洗浄水や各種液剤を噴霧する各種ノズルや各種液剤を貯液する貯液タンクを備えている。各種液剤を貯液する複数の貯液タンクは、洗車機本体（本体部と同義）１に設けられるタンク収納部５０に収納されており、電磁式の開閉弁と副給水ホースを備える分配配管部５１を介して各ノズルに分配している。液剤を噴霧するノズルとしては、例えば、第一浄水ノズル１１、第一洗剤ノズル１２、第二浄水ノズル１３、撥水コートノズル１４、第二洗剤ノズル１５、ワックスノズル１６などが配設されている。
【０００８】
さらに、乾燥のために、ブロワ２０と該ブロワ２０からの送風を吹き付ける昇降自在なトップ送風ノズル２１と左右一対のサイド送風ノズル２２を備えている。また、洗車機本体１に配設する操作パネル７、もしくは、洗車機本体１から離れた位置に設置するリモートパネル７Ａを介して、洗車機ＷＡの駆動条件を設定し、設定された条件に基づいて洗車機ＷＡを駆動する構成としている。８は、被洗浄車両ＣＡの有無および車高を検知するセンサであって、例えば、光電センサや超音波を利用したソニックセンサが好適に用いられる。
【０００９】
操作パネル７やリモートパネル７Ａには、水洗いモードや、洗剤を用いた洗浄モードや、ワックスを塗布するワックスモードや、撥水剤をコートする撥水モードなどの各種洗車モードを選択する選択釦や、ブラシの回転数を制御するブラシ回転スイッチや、スタート・ストップ釦などが設けられている。
【００１０】
また、洗車機本体１を、洗浄部材を備えた洗浄機本体と乾燥部材を備えた乾燥機本体との別体として、それぞれが、被洗浄車両ＣＡを跨ぐように門型とされ、被洗浄車両ＣＡと洗浄機本体と乾燥機本体とを前後方向に相対移動させながら、被洗浄車両ＣＡの洗車を行う構成の洗車機も知られている。この構成であっても、各種ブラシと各種ノズルを備え、操作パネル７もしくはリモートパネル７Ａを備えていることは同じである。
【００１１】
上記した従来の洗車機ＷＡにおいては、一台の洗車機に一台の操作パネル７もしくはリモートパネル７Ａが配設された１：１構成とされていて、洗車の際には、車種に適応した洗車モードや使用者が所望する洗車モードに設定する必要がある。そのために、操作パネル７やリモートパネル７Ａに、ユーザ（使用者と同義）もしくは洗車スタッフが所定の洗車モードを選択して設定している。
【００１２】
洗車機の操作部を構成する操作パネル７もしくはリモートパネル７Ａは、押釦とディジタル表示器等から構成されている。そしてこれらのパネルから車種の設定、装備品の設定、洗車コースを選択して洗車を実行している。
【００１３】
洗車を希望する使用者は、被洗浄車両ＣＡをリモートパネル７Ａの前に停車して、運転席側の窓から手を伸ばして、所望の洗車モードを選択して設定する。この際に、運転席の高低により、リモートパネル７Ａの設定操作がしづらい場合が生じるので、リモートパネル７Ａを昇降する上昇ボタンと下降ボタンを設けて、設定操作部の高さ位置が調節可能としている。
【００１４】
ここで被洗浄車両の車高を検出して、自動的にリモートパネルを昇降させる装置が開示されている（例えば、特許文献１参照）。
【００１５】
また、リモートパネルを利用するために、利用者の意志により操作釦を押している間のみ移動する装置が開示されている（例えば、特許文献２参照）。
【００１６】
さらに、料金精算部に備えられた制御レバーを操作することで、料金精算部が昇降する装置が開示されている（例えば、特許文献３参照）。
【先行技術文献】
【特許文献】
【００１７】
【特許文献１】特開平６−３４４８７１号公報
【特許文献２】特開平９−２８２５１８号公報
【特許文献３】特開平１−１００２６２号公報
【発明の概要】
【発明が解決しようとする課題】
【００１８】
しかしながら上記のような従来の技術は、使用者のリモートパネルの受付状況に応じて、リモートパネルの昇降動作を切り換える装置は開示されていない。即ち、使用者の利便性を考えれば、じっくりとリモートパネルを操作したい場合やレシートや領収書を返却口から取得するだけの単純な操作の場合など、使用者のリモートパネルの受付状況に応じてこの昇降動作を変更すべきという問題があった。
【００１９】
そこで、本発明が斯かる問題点を鑑みてなされたものであって、その目的とするところは使用者に使い易く、利便性の高い洗車機を提供するものである。
【課題を解決するための手段】
【００２０】
上記目的を達成するために本発明は、被洗浄車両の使用者が操作して所望の洗車モードに設定するリモートパネルを備え、設定された洗車モードに応じて、被洗浄車両と洗車機本体を前後方向に相対移動させながら、前記被洗浄車両の洗車を行う洗車機であって、前記リモートパネルは昇降釦を備えるとともに該昇降釦の押下により下降端と上昇端との間を昇降自在な構成とし、前記リモートパネルの受付状況に応じて、前記昇降釦による昇降動作として前記昇降釦を押下すると下降端と上昇端との間を昇降する単純昇降と、前記昇降釦を押下している間のみ下降端と上昇端との間を昇降するインチング昇降と、を切り換えることを特徴とする。
【００２１】
この構成によると、使用者はリモートパネルに備えられた昇降釦を押下することにより、リモートパネルを下降端と上昇端との間を昇降自在にすることができるとともに、前記リモートパネルの受付状況に応じて単純昇降とインチング昇降が切り替わることになる。このため受付状況に応じた昇降動作となるため、利便性の高い洗車機を提供することができる。
【００２２】
尚、ここでいう使用者（ユーザと同義）とは、洗車情報を得るために端末装置を操作することのできる全ての人のことを指すものである。つまり、自動車のユーザという意味に限定されるものではなく、洗車事業者（例えばガソリンスタンドの店員等）や、自動車ディーラ、洗車機メーカ、自動車用部品販売業者などを含むものであり、要するに洗車サービスを受ける人、及びその人にサービスを提供する人全てが使用者となり得る。
【００２３】
上記目的を達成するために本発明は、前記リモートパネルの昇降動作が使用者による該リモートパネルの受付開始前では単純昇降とし、前記リモートパネルの受付が開始から終了までの期間はインチング昇降とすることを特徴とする。
【００２４】
この構成によると、前記リモートパネルの昇降動作が使用者による該リモートパネルの受付開始前では単純昇降とし、前記リモートパネルの受付が開始から終了までの期間はインチング昇降とするため、使用者の受付状況に応じて所望する昇降動作が可能となる。即ち、リモートパネルの受付が開始から終了までの期間のようなリモートパネルに備えられた複数の設定釦を操作する場合には、インチング昇降により操作する設定釦の高さ位置を微調整することができる。一方、微調整が不要な場合には単純昇降にてリモートパネルを操作できる。このため、使用者のニーズに応じた利便性の高い洗車機を提供することができる。
【００２５】
上記目的を達成するために本発明は、前記リモートパネルは報知部を備え、単純昇降からインチング昇降又はインチング昇降から昇降動作へ変化する場合には昇降動作の変化状況を報知することを特徴とする。
【００２６】
この構成によると、前記リモートパネルには報知部を備え、単純昇降からインチング昇降又はインチング昇降から昇降動作へ変化する場合には昇降動作の変化状況を報知するため、使用者にとっては昇降動作の切り替わりのタイミングを把握でき、洗車機の操作性を改善し、誰でも使いやすい洗車機を提供することができる。
【００２７】
上記目的を達成するために本発明は、前記リモートパネルはタッチパネル式の表示部を備え、該表示部内に前記昇降釦と昇降動作の状況を表示することを特徴とする。
【００２８】
タッチパネル式の表示部により昇降釦を配置することにより、昇降釦を、画面にしたがって押下できる。また、昇降動作の状況を表示することにより、使用者は昇降動作を確認でき、洗車機の操作性を改善し、誰でも使いやすい洗車機を提供することができる。
【００２９】
尚、ここでいう押下とはボタンを単に押すという意味だけでなく、タッチパネル型のリモートパネルの場合にはタッチパネル上のボタンに触れるという意味も含むものである。
【発明の効果】
【００３０】
以上のように本発明によれば、洗車機の操作性を改善し、誰でも使いやすい洗車機を提供することができる。換言すれば利便性の高い洗車機を提供することができる。
【図面の簡単な説明】
【００３１】
【図１】本発明に係る洗車機が備える操作盤面式リモートパネルの一例を示す正面図である。
【図２】リモートパネルの制御装置が備える各種機能を示す機能ブロック図である。
【図３】リモートパネルの設定操作の手順を示すフローチャートである。
【図４】本発明に係る洗車機が備えるタッチパネル式リモートパネルの一例を示す正面図である。
【図５】リモートパネルの設定操作の画面を示す図である。
【図６】洗車機一台の全体構成を示す側面図である。
【発明を実施するための形態】
【００３２】
以下に本発明の実施形態を図面を参照して説明する。図１に示す操作盤面式のリモートパネル７Ａは、洗車機ＷＡの洗車モードを設定する装置であって、図６に示すように、洗車機ＷＡへの進入経路上に設置されている。そのために、該リモートパネル７Ａの正面に被洗浄車両ＣＡを停車して、洗車機ＷＡの洗車モードを設定することができる。
【００３３】
リモートパネル７Ａは、支柱７０にパネル本体７１が上下動自在に装着された構成であって、支柱７０に昇降装置（不図示）を内蔵し、上昇釦８５ａ、もしくは下降釦８５ｂを押下して、下降端Ｈ０と上昇端Ｈ１の間を昇降自在な構成とされている。なお上昇釦８５ａと下降釦８５ｂを総称し、昇降釦８５とする。
【００３４】
昇降釦８５を押下すると単純昇降で動作する場合とインチング昇降で動作する場合がある。単純昇降は前記昇降釦を押下すれば下降端と上昇端との間を昇降する。即ち、単純昇降の場合には、釦を押下すると手を離しても、上昇端又は下降端までリモートパネル７Ａが移動する。釦から手を離してもリモートパネル７Ａの移動が上昇端又は下降端に達するまで継続する一方、微妙なリモートパネル７Ａの高さの調整ができない。
【００３５】
一方、インチング昇降は前記昇降釦を押下している間のみ下降端と上昇端との間を昇降する。即ち、インチング昇降の場合には、釦を押下している間のみリモートパネル７Ａが上下に移動する。そうするとリモートパネル７Ａの微妙な高さの調整ができる。単純昇降又はインチング昇降の切り替えについては後述する。
【００３６】
パネル本体７１の正面側には、返却レバー７２、コイン投入口７３、紙幣投入口７４を設けている。さらに、プリペイドカード等の電子データの記録媒体の読取装置としてのカード投入口７５とレシート等を読み取るための光学的読取機能を備えた読取部７６とつり銭の返却口もしくは領収書やレシートの発行部となる払い出し部７９が設けられている。
【００３７】
さらに、リモートパネル７Ａには、報知部として音声出力を行うスピーカ８１が設けられており、洗車モードの設定操作の内容や手順を案内する音声ガイド、もしくは、注意事項などの音声ガイドを出力可能としている。さらに単純昇降からインチング昇降又はインチング昇降から昇降動作へ変化する場合には昇降動作の変化状況の報知も行う。また、音声ガイドの出力を停止する停止釦７７と音声ガイドの音量を調整するボリューム調整釦７８が設けられている。また、リモートパネル７Ａ部に進入してくる被洗浄車両ＣＡを検知する反射型光電センサである車両検知センサ８０を設けている。
【００３８】
また、リモートパネル７Ａには、投入された金額を表示する金額表示部１１０、各種の洗車モードに対応する設定釦１１１が設けられている。設定釦１１１には、例えば、シャンプーを行う釦、ワックス掛けを行う釦、撥水コートを行う釦、第２（高級）シャンプー、第２（高級）ワックス、第２（高級）撥水コートや特殊なコートを行う選択釦等を設ける構成としている。
【００３９】
さらに、リモートパネル７Ａには、装備品設定釦１１２を備える。装備品設定ボタン１１２として、例えば、該当装備品なしボタン、フロントガードありボタン、フェンダーポールありボタン、ドアミラーありボタン、リヤワイパーありボタンなどが設けられている。また、スタート操作ボタン８４として、例えば、スタートボタン８４ａ、キャンセルボタン８４ｂが設けられている。
【００４０】
図２は、リモートパネル７Ａが備える機能ブロック図である。機能ブロック図には洗車機全体を制御する制御部１０１とプリペイドカード等の電子データの記録媒体を用いた情報や各洗車コースおよびオプションに対応する料金等の洗車モードを予め記憶させておく記憶部１０２や領収書の発行の有無、新たな液剤および／または新たな洗車モードを選択できる選択部１０３とを備える。
【００４１】
操作部１０６にて設定される各種液剤のタイプや洗車モード、領収書発行の有無などを、入出力部１０４から受け付け、制御部１０１を介して、設定された洗車モードや領収書発行の有無などを報知部８１や洗車機を駆動する信号を洗車機駆動部１０５へ出力する。また、リモートパネルには制御部１０１を介して領収書やレシートを印刷するレシート発行部１０７を備える。さらに、前記レシートに記載された内容を読み取る光学的読取機能を備えた読取部７６を備える。
【００４２】
次に図３に示すフローチャートを用いて、前記リモートパネル７Ａの受付状況に応じて、リモートパネル７Ａの昇降動作の切り換えが行われることについて説明する。
【００４３】
ステップＳ１では、被洗浄車両ＣＡがリモートパネル７Ａ付近に進入して停車すると車両検知センサ８０が車体を検知して制御部に通信される。そして報知部８１を介して「いらっしゃいませ、コイン、紙幣、専用プリペイドカードを入れてください」等のアナウンスが報知される。そして、運転席側の窓から使用者は手を伸ばして操作を開始する。
【００４４】
ステップＳ２では使用者がリモートパネル７Ａで昇降釦を押下する昇降操作をしたかどうか判定される。昇降操作した場合にはステップＳ３へ移行し、昇降操作しない場合にはステップＳ４へ移行する。
【００４５】
ステップＳ３では単純昇降によりリモートパネル７Ａが昇降する。ここで、図１に示すようにコイン投入口７３、紙幣投入口７４等はリモートパネル７Ａの上端部に配されており、コインや紙幣等を投入するには、リモートパネル７Ａを被洗浄車両ＣＡの種類とリモートパネル７Ａの高さ位置に応じて、上昇端又は下降端まで昇降させることになる。
【００４６】
例えば車高が高いワンボックスカー等からの使用であって、リモートパネル７Ａが下降端に位置していれば、上昇端までリモートパネル７Ａを上昇させることになる。一方、車高が低い小型車等からの使用であって、リモートパネル７Ａが上昇端まで位置している場合には、下降端まで下降させることになる。この場合の昇降動作は単純昇降にすることにより、一気に上昇端又は下降端まで昇降させることができる。そうすると、使用者にとって使い易く利便性の高い洗車機を提供することができる。
【００４７】
ステップＳ４では、使用者はコイン、紙幣、カード等を投入する。そして投入された金額を金額表示部１１０で表示される。
【００４８】
ステップＳ５では、リモートパネルにて受付が開始される。即ち、洗車モード等の各種設定が可能となる。受付が開始されると単純昇降からインチング昇降へ昇降動作が切り替わるため、スピーカ８１からその昇降動作の変化状況が報知されてもよい。
【００４９】
ステップＳ６では使用者がリモートパネル７Ａで昇降釦を押下する昇降操作をしたかどうか判定される。昇降操作した場合にはステップＳ７へ移行し、昇降操作していない場合にはステップＳ８へ移行する。
【００５０】
ここで、ステップＳ４によりコイン、紙幣、カード等を投入することにより各種洗車モードの設定が可能になり、使用者は所望の設定を行う。例えば、シャンプーを行う釦、ワックス掛けを行う釦、撥水コートを行う釦、第２（高級）シャンプー、第２（高級）ワックス、第２（高級）撥水コートや特殊なコートを行う選択釦等を用いて設定を行う。
【００５１】
また、リモートパネル７Ａには、装備品設定釦１１２を備えている。そのため使用者は所望の装備品の設定を行う。例えば、該当装備品なしボタン、フロントガードありボタン、フェンダーポールありボタン、ドアミラーありボタン、リヤワイパーありボタンなどを用いて行う。
【００５２】
ステップＳ７ではインチング昇降によりリモートパネル７Ａが昇降する。リモートパネル７Ａでは上昇端から下降端へと各種設定を行う構成をとっており、使用者は微妙な高さの調整を所望することがある。ここでインチング昇降のように釦を押下している間だけリモートパネル７Ａが昇降することで、使用者の所望する微妙な高さの調整が可能となる。
【００５３】
ステップＳ８では、リモートパネル７Ａにて受付が終了したか判定される。終了していない場合にはステップＳ６へ移行し、終了した場合にはステップＳ９へ移行する。受付が終了したか否かの判断は、例えば全ての設定が終わりスタート釦８４ａを押下した後、おつり等が払い出し部７９から返却されたかどうかによって判断される。
【００５４】
また、受付が終了すれば、昇降動作がインチング昇降から単純昇降に切り替わるため、スピーカ８１からその昇降動作の変化状況が報知されてもよい。報知されるため、使用者に分かり易い洗車機を提供することができる。
【００５５】
ステップＳ９では使用者がリモートパネル７Ａで昇降釦を押下する昇降操作をしたかどうか判定される。昇降操作した場合にはステップＳ１０へ移行し、昇降操作していない場合にはステップＳ１１へ以降する。ここで、上記の通り、使用者は各種設定を終了したため、おつりやレシート等がある場合には払い出し部７９から受け取ることになる。そうすると、図１のように払い出し部７９はリモートパネル７Ａの下端に配されているため、被洗浄車両ＣＡや使用者の設定状況、お釣りやレシートの有無等によって、リモートパネル７Ａを昇降させる場合がある。
【００５６】
ステップＳ１０では、単純昇降によりリモートパネル７Ａが昇降する。全ての設定が終了した後には、使用者はリモートパネル７Ａの高さの微調整が必要となることはない。そうすると、インチング昇降から単純昇降に切り換えることにより、昇降釦８５の押下動作ひとつで、一気に払い出し部７９へ到着することになる。このようにリモートパネル７Ａの受付状況に応じて、昇降動作を切り換えることで、使用者にとって使い易く利便性の高い洗車機を提供することができる。
【００５７】
ステップＳ１１では、被洗浄車両ＣＡの洗車が洗車機ＷＡにより実行される。
【００５８】
（他の実施形態）
上記実施形態においては操作盤面式リモートパネルであったが、これに限られる訳ではなく、図４に示すようにタッチパネル式のリモートパネル７Ａであってもよい。ここで同一の機能については図１と同じ番号を付している。
【００５９】
タッチ型リモートパネル７Ａには表面にタッチパネルが配置された液晶パネルからなる表示部８２を備える。また、表示部８２には上昇釦８５ａａ、もしくは下降釦８５ｂｂが配され前記釦を押下することで、下降端Ｈ０と上昇端Ｈ１の間を昇降自在な構成とされている。
【００６０】
ここでリモートパネル７Ａの表示部８２の昇降操作について図５を示して説明する。図５（ａ）は図３のステップＳ１に対応する画面であって、被洗浄車両ＣＡがリモートパネル近くへ進入した場合の画面を表示する。メッセージ表示部８６のように、現在のリモートパネルの昇降状態を表示している。また昇降釦８５ａ、８５ｂのみならず、パネルからも昇降操作できる昇降釦８５ａａ、８５ｂｂを備える。前記昇降釦８５ａａ、８５ｂｂに触れることによって、リモートパネル７Ａは上昇端又は下降端まで昇降自在な動作をする。
【００６１】
図５（ｂ）は図３のステップＳ６に対応する画面である。使用者が各種の洗車モードに対応する設定釦１１１や装備品設定釦１１２から各種設定を行う。この場合メッセージ表示部８６に示すように単純昇降からインチング昇降に切り替わる旨が表示されてもよい。また、スピーカ８１からその昇降動作の変化状況が報知されてもよい。
【００６２】
図５（ｃ）は図３のステップＳ９に対応する画面である。使用者が各種設定を終了したため、メッセージ表示部８６に示すようにインチング昇降から単純昇降に切り替わる旨が表示されてもよい。また、スピーカ８１からその昇降動作の変化状況が報知されてもよい。
【００６３】
上記実施例においては、リモートパネル７Ａのパネル本体７１に上昇釦８５ａと下降釦８５、表示部８２に上昇釦８５ａａと下降釦８５ｂｂの合計４つの釦を配する構成としたが、表示部８２に上昇釦８５ａａ、下降釦８５ｂｂの合計２つの釦を配する構成をとってもよい。この場合、表示部８２内だけに電子的な釦を備える構成となり、新たな物理的な釦を備える必要がなく、部品点数を削減することができる。
【００６４】
上記の通り、本発明に係る洗車機は、被洗浄車両の使用者が操作して所望の洗車モードに設定するリモートパネルを備え、設定された洗車モードに応じて、被洗浄車両と洗車機本体を前後方向に相対移動させながら、前記被洗浄車両の洗車を行う洗車機であって、前記リモートパネルは昇降釦を備えるとともに該昇降釦の押下により下降端と上昇端との間を昇降自在な構成とし、前記リモートパネルの受付状況に応じて、前記昇降釦による昇降動作として前記昇降釦を押下すれば下降端と上昇端との間を昇降する単純昇降と、前記昇降釦を押下している間のみ下降端と上昇端との間を昇降するインチング昇降と、を切り換えることを特徴とする。
【００６５】
このため、使い勝手のよい洗車機を提供し、次回の早めの来店を促進し、結果継続的な来店を促進することができる。つまり、ガソリンスタンドにとっても使用者にとっても効率的なサービス提供が可能となる。
【００６６】
また本発明の構成は、上記実施形態のほか、発明の趣旨を逸脱しない範囲で種々の変更を加えることが可能である。
【符号の説明】
【００６７】
１      洗車機本体
２      レール
３      車輪
７      操作パネル
７Ａ    リモートパネル
８１    表示部
８５ａ  上昇釦
８５ｂ  下降釦
ＣＡ    被洗浄車両
ＷＡ    洗浄器
Ｈ０    下降端
Ｈ１    上昇端
【図１】
2010215045.tif 000003
【図２】
2010215045.tif 000004
【図３】
2010215045.tif 000005
【図４】
2010215045.tif 000006
【図５】
2010215045.tif 000007
【図６】
2010215045.tif 000008